(57)【要約】  本発明の一形態に係る成膜用マスクは、一対の第１の板部と、一対の第２の板部とを具備する。上記一対の第１の板部は、一対の第１の内周縁部と、一対の第１の外周縁部とを有する。上記一対の第１の内周縁部は、第１の軸方向に対向し、互いに離間する方向に向かって凸なる形状の第１の湾曲部をそれぞれ有する。上記一対の第１の外周縁部は、上記一対の第１の内周縁部と上記第１の軸向にそれぞれ対向する。上記一対の第２の板部は、一対の第２の内周縁部と、一対の第２の外周縁部とを有する。上記一対の第２の内周縁部は、上記第２の軸方向に対向し、互いに離間する方向に向かって凸なる形状の第２の湾曲部をそれぞれ有する。上記一対の第２の外周縁部は、上記一対の第２の内周縁部と上記第２の軸方向にそれぞれ対向する。
2017188170.tif 000002
【特許請求の範囲】
【請求項１】
第１の軸方向に対向し、互いに離間する方向に向かって凸なる形状の第１の湾曲部をそれぞれ有する一対の第１の内周縁部と、前記一対の第１の内周縁部と前記第１の軸方向にそれぞれ対向する一対の第１の外周縁部とを有する一対の第１の板部と、
前記第２の軸方向に対向し、互いに離間する方向に向かって凸なる形状の第２の湾曲部をそれぞれ有する一対の第２の内周縁部と、前記一対の第２の内周縁部と前記第２の軸方向にそれぞれ対向する一対の第２の外周縁部とを有する一対の第２の板部と
を具備する成膜用マスク。
【請求項２】
請求項１に記載の成膜用マスクであって、
前記一対の第１の板部は、前記一対の第１の外周縁部にそれぞれ設けられ前記第１の軸方向と直交する第２の軸方向に間隔をおいて配置された複数の第１の切欠き部をさらに有し、
前記一対の第２の板部は、前記一対の第２の外周縁部にそれぞれ設けられ前記第１の軸方向に間隔をおいて配置された複数の第２の切欠き部をさらに有する
成膜用マスク。
【請求項３】
請求項１又は２に記載の成膜用マスクであって、
前記一対の第１の板部及び前記一対の第２の板部は、それぞれ単独の板部材で構成される
成膜用マスク。
【請求項４】
請求項３に記載の成膜用マスクであって、
前記一対の第１の板部の両端部は、前記一対の第２の板部の両端部に重ね合わされる
成膜用マスク。
【請求項５】
請求項１〜４のいずれか１つに記載の成膜用マスクであって、
前記一対の第１の板部及び前記一対の第２の板部は、セラミックス材料で構成される
成膜用マスク。
【請求項６】
真空チャンバと、
前記真空チャンバの内部に配置され、基板を加熱可能に支持するステージと、
前記ステージに対向して配置された成膜源と、
前記ステージの周囲に配置され、前記基板の周縁部を前記成膜源から被覆するマスクと
を具備し、
前記マスクは、
第１の軸方向に対向し、互いに離間する方向に向かって凸なる形状の第１の湾曲部をそれぞれ有する一対の第１の内周縁部と、前記一対の第１の内周縁部と前記第１の軸方向にそれぞれ対向する一対の第１の外周縁部とを有する一対の第１の板部と、
前記第２の軸方向に対向し、互いに離間する方向に向かって凸なる形状の第２の湾曲部をそれぞれ有する一対の第２の内周縁部と、前記一対の第２の内周縁部と前記第２の軸方向にそれぞれ対向する一対の第２の外周縁部とを有する一対の第２の板部と
を有する
成膜装置。
【請求項７】
請求項６に記載の成膜装置であって、
前記一対の第１の板部は、前記一対の第１の外周縁部にそれぞれ設けられ前記第１の軸方向と直交する第２の軸方向に間隔をおいて配置された複数の第１の切欠き部をさらに有し、
前記一対の第２の板部は、前記一対の第２の外周縁部にそれぞれ設けられ前記第１の軸方向に間隔をおいて配置された複数の第２の切欠き部をさらに有する
成膜装置。
【請求項８】
請求項６又は７に記載の成膜装置であって、
前記マスクを支持可能なマスク支持部材をさらに具備し、
前記マスク支持部材は、前記ステージの周囲に設置され、前記第１及び第２の軸方向に平行な面内における前記マスクの熱伸びを許容する支持部を有する
成膜装置。
【請求項９】
請求項８に記載の成膜装置であって、
前記一対の第１の板部は、前記第１の軸方向に平行な長軸を有する第１の主貫通孔と、前記第２の軸方向に平行な長軸を有し前記第１の主貫通孔を挟んで前記第２の軸方向に相互に対向する一対の第１の補助貫通孔とをそれぞれ有し、
前記支持部は、前記第１の主貫通孔及び前記一対の第１の補助貫通孔にそれぞれ挿通され、前記一対の第１の板部に対して相対移動可能な複数の第１の位置決めピンを含む
成膜装置。
【請求項１０】
請求項８又は９に記載の成膜装置であって、
前記一対の第２の板部は、前記第２の軸方向に平行な長軸を有する第２の主貫通孔と、前記第１の軸方向に平行な長軸を有し前記第２の主貫通孔を挟んで前記第１の軸方向に相互に対向する一対の第２の補助貫通孔とをそれぞれ有し、
前記支持部は、前記第２の主貫通孔及び前記一対の第２の補助貫通孔にそれぞれ挿通され、前記一対の第２の板部に対して相対移動可能な複数の第２の位置決めピンを含む
成膜装置。
【発明の詳細な説明】
【技術分野】
【０００１】
本発明は、プラズマＣＶＤ装置等の成膜装置に用いられる成膜用マスク及びこれを備えた成膜装置に関する。
【背景技術】
【０００２】
プラズマＣＶＤ装置等の成膜装置においては、基板周縁部への着膜を防止するためのマスクが広く用いられている。例えば特許文献１には、加熱プレート上に配置されたガラス基板の周縁部に対向するマスクと、このマスクを処理室内において昇降可能に支持するマスク支持体とを備えた真空処理装置が開示されている。
【先行技術文献】
【特許文献】
【０００３】
【特許文献１】特許第５７７３７３１号公報
【発明の概要】
【発明が解決しようとする課題】
【０００４】
近年における基板の大型化に伴い、基板の周縁部に配置されるマスクのサイズも大型化し、マスクの開口形状を精度よく維持することが困難となりつつある。例えば特許文献１の構成では、加熱プレートに近いマスクの内周側とそれとは反対の外周側との間における入熱量の相違によって、マスク開口形状が変化し、マスクしたい領域である基板周縁部の膜端の形状精度が悪化するおそれがある。また、マスクの内周側と外周側との応力差でマスクが破損するおそれがある。【０００５】
以上のような事情に鑑み、本発明の目的は、基板周縁部の膜端の形状精度を維持することができる成膜用マスク及びこれを備えた成膜装置を提供することにある。
【課題を解決するための手段】
【０００６】
上記目的を達成するため、本発明の一形態に係る成膜用マスクは、一対の第１の板部と、一対の第２の板部とを具備する。
上記一対の第１の板部は、一対の第１の内周縁部と、一対の第１の外周縁部とを有する。上記一対の第１の内周縁部は、第１の軸方向に対向し、互いに離間する方向に向かって凸なる形状の第１の湾曲部をそれぞれ有する。上記一対の第１の外周縁部は、上記一対の第１の内周縁部と上記第１の軸方向にそれぞれ対向する。
上記一対の第２の板部は、一対の第２の内周縁部と、一対の第２の外周縁部とを有する。上記一対の第２の内周縁部は、上記第２の軸方向に対向し、互いに離間する方向に向かって凸なる形状の第２の湾曲部をそれぞれ有する。上記一対の第２の外周縁部は、上記一対の第２の内周縁部と上記第２の軸方向にそれぞれ対向する。【０００７】
上記成膜用マスクにおいて、第１及び第２の板部の内周縁部は、互いに離間する方向に向かって凸なる形状の第１及び第２の湾曲部をそれぞれ有するため、第１及び第２の湾曲部において長さ方向に沿った熱膨張（熱伸び）が発生する際に、第１及び第２の湾曲部が直線的な形状となるように変形する。これにより、基板周縁部上の膜端の形状精度を維持することが可能となる。【０００８】
上記一対の第１の板部は、上記一対の第１の外周縁部にそれぞれ設けられ上記第１の軸方向と直交する第２の軸方向に間隔をおいて配置された複数の第１の切欠き部をさらに有してもよい。同様に、上記一対の第２の板部は、上記一対の第２の外周縁部にそれぞれ設けられ上記第１の軸方向に間隔をおいて配置された複数の第２の切欠き部をさらに有してもよい。
これにより、上記内周縁部の熱変形に伴う外周縁部の変形が容易となり、これにより第１及び第２の板部の破損が防止される。【０００９】
上記一対の第１の板部及び上記一対の第２の板部は、それぞれ単独の板部材で構成されてもよい。これにより、入熱時における第１の板部と第２の板部との間の相互干渉を抑制することができる。【００１０】
上記一対の第１の板部の両端部は、上記一対の第２の板部の両端部に重ね合わされてもよい。これにより、第１及び第２の板部の分離を防いで、これら板部の所定の一体関係を維持することができる。【００１１】
上記一対の第１の板部及び上記一対の第２の板部は、典型的には、セラミックス材料で構成される。【００１２】
本発明の一形態に係る成膜装置は、チャンバと、ステージと、成膜源と、マスクとを具備する。
上記ステージは、上記真空チャンバの内部に配置され、基板を加熱可能に支持する。
上記成膜源は、上記ステージに対向して配置される。
上記マスクは、上記ステージの周囲に配置され、上記基板の周縁部を上記成膜源から被覆する。
上記マスクは、一対の第１の板部と、一対の第２の板部とを有する。
上記一対の第１の板部は、一対の第１の内周縁部と、一対の第１の外周縁部とを有する。上記一対の第１の内周縁部は、第１の軸方向に対向し、互いに離間する方向に向かって凸なる形状の第１の湾曲部をそれぞれ有する。上記一対の第１の外周縁部は、上記一対の第１の内周縁部と上記第１の軸方向にそれぞれ対向する。
上記一対の第２の板部は、一対の第２の内周縁部と、一対の第２の外周縁部とを有する。上記一対の第２の内周縁部は、上記第２の軸方向に対向し、互いに離間する方向に向かって凸なる形状の第２の湾曲部をそれぞれ有する。上記一対の第２の外周縁部は、上記一対の第２の内周縁部と上記第２の軸方向にそれぞれ対向する。【００１３】
上記一対の第１の板部は、上記一対の第１の外周縁部にそれぞれ設けられ上記第１の軸方向と直交する第２の軸方向に間隔をおいて配置された複数の第１の切欠き部をさらに有してもよい。同様に、上記一対の第２の板部は、上記一対の第２の外周縁部にそれぞれ設けられ上記第１の軸方向に間隔をおいて配置された複数の第２の切欠き部をさらに有してもよい。【００１４】
上記成膜装置は、上記マスクを支持可能なマスク支持部材をさらに具備してもよい。上記マスク支持部材は、上記ステージの周囲に設置され、上記第１及び第２の軸方向に平行な面内における上記マスクの熱伸びを許容する支持部を有する。【００１５】
上記一対の第１の板部は、第１の主貫通孔と、一対の第１の補助貫通孔とを有してもよい。上記第１の主貫通孔は、上記第１の軸方向に平行な長軸を有する。上記一対の第１の補助貫通孔は、上記第２の軸方向に平行な長軸を有し、上記第１の主貫通孔を挟んで上記第２の軸方向に相互に対向する。この場合、上記支持部は、複数の第１の位置決めピンを含む。上記複数の第１の位置決めピンは、上記第１の主貫通孔及び上記一対の第１の補助貫通孔にそれぞれ挿通され、上記一対の第１の板部に対して相対移動可能である。【００１６】
一方、上記一対の第２の板部は、第２の主貫通孔と、一対の第２の補助貫通孔とを有してもよい。上記第２の主貫通孔は、上記第２の軸方向に平行な長軸を有する。上記一対の第２の補助貫通孔は、上記第１の軸方向に平行な長軸を有し、上記第２の主貫通孔を挟んで上記第１の軸方向に相互に対向する。この場合、上記支持部は、複数の第２の位置決めピンを含む。上記複数の第２の位置決めピンは、上記第２の主貫通孔及び上記一対の第２の補助貫通孔にそれぞれ挿通され、上記一対の第２の板部に対して相対移動可能である。
【発明の効果】
【００１７】
以上述べたように、本発明によれば、基板周縁部の膜端の形状精度を維持することができる。
【図面の簡単な説明】
【００１８】
【図１】本発明の一実施形態に係る成膜装置を示す概略側断面図である。
【図２】上記成膜装置の一動作例を示す概略側断面図である。
【図３】本発明の一実施形態に係るマスクの構成を示す概略平面図である。
【図４】上記マスクの隅部の構成を概略的に示す要部の斜視図である。
【図５】上記マスクを構成する板部の熱変形前後の形態を比較して示す概略平面図である。
【図６】上記成膜装置の要部の構成を示す概略側断面図である。
【図７】上記マスクの熱変形前後の形態を比較して示す概略平面図である。
【発明を実施するための形態】
【００１９】
以下、図面を参照しながら、本発明の実施形態を説明する。
【００２０】
図１は、本発明の一実施形態に係る成膜装置を示す概略側断面図であり、図２は、成膜装置の一動作例を示す概略側断面図である。なお図においてＸ軸、Ｙ軸及びＺ軸は相互に直交する３軸方向を示しており、本例ではＸ軸及びＹ軸は水平方向に相当し、Ｚ軸は高さ方向に相当する。
【００２１】
［全体構成］
本実施形態に係る成膜装置１００は、プラズマＣＶＤ装置として構成されている。成膜装置１００は、真空チャンバ１０と、ステージ２０と、ガスヘッド３０と、マスク４０とを有する。
【００２２】
真空チャンバ１０は、内部に成膜室１１を有する。真空チャンバ１０は、成膜室１１を所定の減圧雰囲気に排気し維持することが可能な真空ポンプ（図示略）に連絡する排気ポート１２を有する。真空チャンバ１０の内周面には、ガスヘッド３０を支持する第１のフランジ部１３、ステージ２０の下降位置（図２）においてマスク４０を支持可能な第２のフランジ部１４等が設けられている。真空チャンバ１０は、ステンレス鋼等の金属材料で構成され、接地電位に接続される。
【００２３】
真空チャンバ１０には図示せずとも、真空チャンバ１０の外部と内部との間において搬送される基板Ｗが通過可能なゲートバルブが設けられる。基板Ｗは、ステージ２０の下降位置において図示しない搬送ロボット等を介して水平方向に搬入出される。
【００２４】
基板Ｗとしては、典型的には、矩形のガラス基板が用いられる。基板Ｗのサイズは特に限定されず、例えば、Ｇ５以上（１辺の長さが１０００ｍｍ以上）の基板が用いられ、本実施形態では、Ｇ６基板（１８５０ｍｍ×１５００ｍｍ）が用いられる。
【００２５】
ステージ２０は、成膜対象である基板Ｗを支持する支持面２１を有する。支持面２１は、基板Ｗよりも大面積の矩形の平面で構成される。ステージ２０は、支持面２１の全域を所定温度に加熱可能な加熱源を内蔵する。加熱源は特に限定されず、典型的には、ヒータ、温媒循環通路等で構成される。
【００２６】
支持面２１の周縁部には、マスク４０の底面を支持する耐熱性材料で構成された支持台２２が設けられている。支持台２２は、支持面２１に載置された基板Ｗの周囲に配置され、マスク４０を基板Ｗの周縁部の直上に所定の隙間をあけて対向配置させることが可能な高さ（厚み）を有する。支持台２２は、基板Ｗの周囲に間隔をおいて配置された複数のパッド部材で構成されてもよいし、基板Ｗを囲む環状体で構成されてもよい。
【００２７】
ステージ２０は、昇降軸２３を有し、真空チャンバ１０の底部外方に設置された昇降ユニット２４によってＺ軸方向に昇降移動可能に構成される。昇降軸２３は、ステージ２０の底部中心に固定され、真空チャンバ１０の底壁を気密に貫通する。ステージ２０は、図１に示す上昇位置と、図２に示す下降位置との間を昇降可能に構成される。ステージ２０は、真空チャンバ１０を介して接地電位に接続される。
【００２８】
ガスヘッド３０は、真空チャンバ１０の内部であって、ステージ２０の支持面２１と対向する位置に配置される。ガスヘッド３０は、成膜室１１へ成膜用のプロセスガスを導入する成膜源を構成する。
【００２９】
ガスヘッド３０は、典型的には金属材料で構成され、シャワープレート３１と、環状の周壁部３２と、天板部３３とを有する。周壁部３２は、シャワープレート３１の周縁部を支持する。天板部３３は、周壁部３２の上端に接続され、シャワープレート３１との間にガス空間３４を形成する。ガスヘッド３０は、環状の絶縁部材３５を介して、真空チャンバ１０の内周面に設けられた第１のフランジ部１３に支持される。
【００３０】
ガスヘッド３０の天板部３３には、ガス導入源３６に連絡するガス導入ライン３７が接続されている。ガス導入ライン３７は、天板部３３を貫通し、ガス空間３４へ所定のプロセスガスを導入する。ガス導入ライン３７は、開閉弁や流量制御弁等を含む。プロセスガスは特に限定されず、成膜すべき材料の種類等に応じて適宜設定可能であり、例えば、シラン等の原料ガスと、アンモニア及び窒素を含む反応ガスとの混合ガスが用いられる。
【００３１】
さらにガスヘッド３０の天板部３３には、ＲＦ電源３８が接続される。ＲＦ電源３８は、ガスヘッド３０に高周波電力を印加し、シャワープレート３１とステージ２０との間の成膜室１１にプロセスガスのプラズマを形成する。ＲＦ電源３８から印加される高周波電力は特に限定されず、例えば、１００Ｗ〜１０ｋＷである。
【００３２】
マスク４０は、ステージ２０の周囲に配置され、基板Ｗの周縁部をガスヘッド３０から被覆することが可能な枠体で構成される。マスク４０は、基板Ｗの周縁部の非成膜領域に対向して配置され、成膜領域を画定する概略矩形の開口部４０ａを有する。以下、マスク４０の詳細について説明する。
【００３３】
［マスク］
図３は、マスク４０の構成を示す概略平面図である。
【００３４】
マスク４０は、上面から見て概略矩形の枠体で構成され、Ｇ６サイズの基板Ｗの周縁部を被覆できる大きさを有する。マスク４０は、一対の長辺板部４１Ａ，４１Ｂ（第１の板部）と、一対の短辺板部４２Ａ，４２Ｂ（第２の板部）とを有する。長辺板部４１Ａ，４１Ｂ及び短辺板部４２Ａ，４２Ｂは、典型的には、耐熱性、耐プラズマ性、耐腐食性の観点から、アルミナやジルコニア等のセラミックス材料で構成される。
【００３５】
長辺板部４１Ａ，４１Ｂはそれぞれ同一の構成を有し、内周縁部４１１（第１の内周縁部）と外周縁部４１２（第１の外周縁部）とをそれぞれ有する。
【００３６】
長辺板部４１Ａ，４１Ｂ各々の内周縁部４１１は、Ｘ軸方向に対向し、互いに離間する方向に向かって凸なる形状の湾曲部４１１ｗ（第１の湾曲部）を有する。すなわち、一方の長辺板部４１Ａの湾曲部４１１ｗは、図３において上方側に頂点を有する所定曲率の部分円弧形状を有し、他方の長辺板部４１Ｂの湾曲部４１１ｗは、図３において下方側に頂点を有する所定曲率の部分円弧形状を有する。
【００３７】
本実施形態において各湾曲部４１１ｗは、長辺板部４１Ａ，４１Ｂの内周縁部４１１の全域にわたって一定の曲率で形成されているが、これに限られず異なる曲率の円弧が連続する複合的な形状であってもよい。各湾曲部４１１ｗの曲率半径は、長辺板部４１Ａ，４１Ｂの長さや線膨張係数、ステージ２０による基板Ｗの加熱温度等に応じて適宜設定される。本実施形態では、湾曲部４１１ｗの曲率半径は約２６００００ｍｍであり、内周縁部４１１両端同士を結ぶ仮想直線Ｌｘと内周縁部４１１との間の最大距離ｄｘは、約１．６ｍｍとされる。
【００３８】
長辺板部４１Ａ，４１Ｂ各々の外周縁部４１２は、内周縁部４１１とＸ軸方向に対向し、本実施形態ではＹ軸方向に平行な直線形状を有する。各外周縁部４１２には複数の切欠き部４１３（第１の切欠き部）が設けられており、これら複数の切欠き部４１３は、Ｙ軸方向に間隔をおいて配置されている。
【００３９】
各切欠き部４１３は、外周縁部４１２に対して直交する方向（Ｘ軸方向）に延びるスリットで構成されるが、これに限られず、例えばＶ字形状に形成されてもよい。切欠き部４１３の開口幅及び切り込み深さは特に限定されず、典型的には、外周縁部４１２がＸＹ平面内において比較的容易に湾曲することが可能な大きさに形成される。
【００４０】
これに対して、短辺板部４２Ａ，４２Ｂ各々の内周縁部４２１は、Ｙ軸方向に対向し、互いに離間する方向に向かって凸なる形状の湾曲部４２１ｗ（第２の湾曲部）を有する。すなわち、一方の短辺板部４２Ａの湾曲部４２１ｗは、図３において右方側に頂点を有する所定曲率の部分円弧形状を有し、他方の短辺板部４２Ｂの湾曲部４２１ｗは、図３において左方側に頂点を有する所定曲率の部分円弧形状を有する。
【００４１】
本実施形態において各湾曲部４２１ｗは、板部４２Ａ，４２Ｂの内周縁部４２１の全域にわたって一定の曲率で形成されているが、これに限られず異なる曲率の円弧が連続する複合的な形状であってもよい。各湾曲部４２１ｗの曲率半径は、短辺板部４２Ａ，４２Ｂの長さや線膨張係数、ステージ２０による基板Ｗの加熱温度等に応じて適宜設定される。本実施形態では、湾曲部４２１ｗは、長辺板部４１Ａ，４１Ｂの湾曲部４１１ｗよりも小さな曲率半径を有する。例えば、湾曲部４２１ｗの曲率半径は約２０００００ｍｍであり、内周縁部４２１両端同士を結ぶ仮想直線Ｌｙと内周縁部４２１との間の最大距離ｄｙは、約１．４ｍｍとされる。
【００４２】
短辺板部４２Ａ，４２Ｂ各々の外周縁部４２２は、内周縁部４２１とＹ軸方向に対向し、本実施形態ではＸ軸方向に平行な直線形状を有する。各外周縁部４２２には複数の切欠き部４２３（第２の切欠き部）が設けられており、これら複数の切欠き部４２３は、Ｘ軸方向に間隔をおいて配置されている。
【００４３】
各切欠き部４２３は、外周縁部４２２に対して直交する方向（Ｙ軸方向）に延びるスリットで構成されるが、これに限られず、例えばＶ字形状に形成されてもよい。切欠き部４２３の開口幅及び切り込み深さは特に限定されず、典型的には、外周縁部４２２がＸＹ平面内において比較的容易に湾曲することが可能な大きさに形成される。
【００４４】
マスク４０がステージ２０上の支持台２２に支持された状態では、長辺板部４１Ａ，４１Ｂ及び短辺板部４２Ａ，４２Ｂの内周縁部４１１，４２１は、ステージ２０の支持面２１に対向し、長辺板部４１Ａ，４１Ｂ及び短辺板部４２Ａ，４２Ｂの外周縁部４１２，４２２は、ステージ２０の外側に突出する（図１参照）。そして基板Ｗとマスク４０との重なりが、マスク４０の四隅部よりも各辺（板部４１Ａ，４１Ｂ，４２Ａ，４２Ｂ）の中央部の方が少ない。
【００４５】
長辺板部４１Ａ，４１Ｂ及び短辺板部４２Ａ，４２Ｂは、それぞれ単独の板部材で構成される。これにより、入熱による熱変形時において長辺板部４１Ａ，４１Ｂと短辺板部４２Ａ，４２Ｂとの間の相互干渉を抑制することができる。
【００４６】
また、長辺板部４１Ａ，４１Ｂ及び短辺板部４２Ａ，４２Ｂは相互に同一の厚みを有し、長辺板部４１Ａ，４１Ｂの両端部は、短辺板部４２Ａ，４２Ｂの両端部に重ね合される。これにより、長辺板部４１Ａ，４１Ｂと短辺板部４２Ａ，４２Ｂとの分離を防いで、これら板部の所定の一体関係を維持することができる。
【００４７】
本実施形態では図４に示すように、長辺板部４１Ａ，４１Ｂと短辺板部４２Ａ，４２Ｂとは相互に板厚方向に相欠き接合される。これにより、長辺板部４１Ａ，４１Ｂの上面と短辺板部４２Ａ，４２Ｂの上面とが同一平面上に形成されるため、マスク４０の上面の凹凸を緩和することができる。
【００４８】
成膜装置１００は、マスク４０を支持可能なマスク支持部材５０を有する。マスク支持部材５０は、図１及び図２に示すように、ステージ２０の周囲に設置される。すなわちマスク支持部材５０は、ステージ２０の周囲に設けられた矩形環状のフランジ部５１と、フランジ部５１の上に設置された矩形環状の断熱部材５２と、断熱部材５２の上に設置された矩形環状の支持部５３とを有する。
【００４９】
支持部５３の外周部は、フランジ部５１及び断熱部材５２の外周部よりも外側に突出しており、これにより支持部５３は、ステージ２０の昇降に伴って、断熱部材５２に対して分離可能に構成される。
すなわち図１に示すように、ステージ２０が上昇位置にあるときは、支持部５３は断熱部材５２の上に載置される。一方、図２に示すように、ステージ２０が下降位置にあるときは、支持部５３は断熱部材５２から分離し、真空チャンバ１０の内周面に設けられた第２のフランジ部１４に支持される。
【００５０】
さらに支持部５３は、Ｘ軸及びＹ軸方向に平行な面内におけるマスク４０の熱伸びを許容する構造を有する。すなわち支持部５３は、ステージ２０の支持台２２に載置されたマスク４０の各板部４１Ａ，４１Ｂ，４２Ａ，４２Ｂに挿通される円柱状又は円筒状の複数の位置決めピン５４を有する。
【００５１】
マスク４０の長辺板部４１Ａ，４１Ｂ及び短辺板部４２Ａ，４２Ｂは、支持部５３の複数の位置決めピン５４が挿通可能な複数の貫通孔を有する。図３に示すように長辺板部４１Ａ，４１Ｂは、Ｘ軸方向に平行な長軸を有する主貫通孔４１ｈ１（第１の主貫通孔）と、Ｙ軸方向に平行な長軸を有し主貫通孔４１ｈ１を挟んでＹ軸方向に相互に対向する一対の補助貫通孔４１ｈ２（第１の補助貫通孔）とをそれぞれ有する。
一方、短辺板部４２Ａ，４２Ｂは、Ｙ軸方向に平行な長軸を有する主貫通孔４２ｈ１（第２の主貫通孔）と、Ｘ軸方向に平行な長軸を有し主貫通孔４２ｈ１を挟んでＸ軸方向に相互に対向する一対の補助貫通孔４２ｈ２（第２の補助貫通孔）とをそれぞれ有する。
【００５２】
主貫通孔４１ｈ１は、各長辺板部４１Ａ，４１Ｂの長さ方向中央部に設けられ、一対の補助貫通孔４１ｈ２は、各長辺板部４１Ａ，４１Ｂの長さ方向両端部近傍にそれぞれ設けられる。主貫通孔４１ｈ１及び補助貫通孔４１ｈ２は、各長辺板部４１Ａ，４１Ｂの外周縁部４１２側にそれぞれ配置される。
同様に、主貫通孔４２ｈ１は、各短辺板部４２Ａ，４２Ｂの長さ方向中央部に設けられ、一対の補助貫通孔４２ｈ２は、各短辺板部４２Ａ，４２Ｂの長さ方向両端部近傍にそれぞれ設けられる。主貫通孔４２ｈ１及び補助貫通孔４２ｈ２は、各短辺板部４２Ａ，４２Ｂの外周縁部４２２側にそれぞれ配置される。
主貫通孔４１ｈ１，４２ｈ１及び補助貫通孔４１ｈ２，４２ｈ２は、典型的には、２つの円弧を直線で結んだ長円形状で形成されるが、楕円形状であってもよい。
【００５３】
各位置決めピン５４は、各板部４１Ａ，４１Ｂ，４２Ａ，４２Ｂの主貫通孔４１ｈ１，４２ｈ１及び補助貫通孔４１ｈ２，４２ｈ２をＺ軸方向に貫通することで、マスク４０の所定の枠形状を維持する。そして、長辺板部４１Ａ，４１Ｂの主貫通孔４１ｈ１及び短辺板部４２Ａ，４２Ｂの補助貫通孔４２ｈ２に挿通される位置決めピン５４により、これら各板部のＸ軸方向に沿った所定量の相対移動が許容される。一方、長辺板部４１Ａ，４１Ｂの補助貫通孔４１ｈ２及び短辺板部４２Ａ，４２Ｂの主貫通孔４２ｈ１に挿通される位置決めピン５４により、これら各板部のＹ軸方向に沿った所定量の相対移動が許容される。
【００５４】
［成膜装置の動作］
続いて、以上のように構成される成膜装置１００の典型的な動作について説明する。
【００５５】
図示しない搬送ロボットを介して成膜室１１に搬入された基板Ｗは、下降位置（図２）にあるステージ２０の支持面２１上の所定位置に載置された後、昇降ユニット２４の駆動により図１に示す成膜位置へ上昇する。ステージ２０の上昇の過程で、基板Ｗは、真空チャンバ１０の第２のフランジ部１４に支持された支持部５３上のマスク４０に接近する。そして、ステージ２０の支持面２１上の支持台２２がマスク４０の下面に接触すると、マスク４０は、基板Ｗの周縁部に対して一定の離間距離を維持しながらステージ２０とともに上昇する。さらにステージ２０の周縁部のフランジ部５１が断熱部材５２を介して支持部５３に接触し、その後、マスク支持部材５０は一体となって図１に示す上昇位置まで移動する。
【００５６】
基板Ｗは、ステージ２０によって所定温度に加熱され、成膜室１１が所定圧力に減圧される。ガスヘッド３０は、ガス導入源３６からガス導入ライン３７を介して導入されるプロセスガスをガス空間３４及びシャワープレート３１を介して成膜室１１へ供給する。ガスヘッド３０は、ＲＦ電源３８から高周波電力が印加され、ステージ２０との間にプロセスガスの容量結合プラズマを発生させる。これにより、プロセスガス中の原料ガスが分解し、基板Ｗ上に堆積することで、成膜が行われる。
【００５７】
成膜後、ガスヘッド３０へのガス供給及び電力供給が停止し、ステージ２０が図２に示す下降位置へ移動を開始する。ステージ２０の下降途中において、マスク４０は、支持部５３と第２のフランジ部１４との当接作用により、基板Ｗから離間する。ステージ２０の下降位置において成膜済の基板Ｗが真空チャンバ１０の外部へ搬出され、代わりに、未成膜の基板Ｗが成膜室１１に搬入される。以後、上述と同様にして基板Ｗの成膜処理が実行される。
【００５８】
本実施形態においてマスク４０は、基板Ｗの周縁部に対向して配置され、当該周縁部への着膜を防止する。その一方で、マスク４０は、ステージ２０からの熱輻射により加熱される。このときマスク４０の内周縁部４１１，４２１はステージ２０の直上に位置するのに対して、マスク４０の外周縁部４１２，４２２は、ステージ２０の外側に位置する。したがってマスク４０には、その内周縁部４１１，４２１と外周縁部４１２，４２２との間に入熱量の相違に基づく熱変形が生じる。本実施形態では、成膜時における内周縁部４１１，４２１の温度は４３０℃であり、外周縁部４１２，４２２の温度は３６０℃である。
【００５９】
マスク４０を構成する長辺板部４１Ａ，４１Ｂ及び短辺板部４２Ａ，４２Ｂは、典型的には、ステージ２０からの放射熱で長さ方向に伸びるように変形する。しかも、上述のように内周縁部４１１，４２１は外周縁部４１２，４２２よりも高温に加熱されるため、内周縁部４１１，４２１の伸び量は外周縁部４１２，４２２の伸び量よりも大きい。その結果、内周縁部４１１，４２１を構成する湾曲部４１１ｗ，４２１ｗがより直線的な形状となるように変形する。一例として図５に、長辺板部４１Ａの変形前後の形態を示す。
【００６０】
また、マスク４０を構成する長辺板部４１Ａ，４１Ｂ及び短辺板部４２Ａ，４２Ｂは、マスク支持部材５０の複数の位置決めピン５４によって、ステージ２０に対して水平面内の所定方向へ相対移動可能に支持される。
【００６１】
すなわち、長辺板部４１Ａ，４１Ｂにおいてはそれらの中央部が主貫通孔４１ｈ１のガイド作用によってＸ軸方向に移動可能に支持され、それらの両端部が補助貫通孔４１ｈ２のガイド作用によってＹ軸方向に移動可能に支持される。一方、短辺板部４２Ａ，４２Ｂにおいてはそれらの中央部が主貫通孔４２ｈ１のガイド作用によってＹ軸方向に移動可能に支持され、それらの両端部が補助貫通孔４２ｈ２のガイド作用によってＸ軸方向に移動可能に支持される。これによりマスク４０は上述した熱変形を阻害されることはなく、したがって所望とする形状に容易に変形することが可能となる。一例として図６に、短辺板部４２Ａの略中央部における位置決めピン５４による支持形態を示す。
【００６２】
本実施形態のマスク４０においては、長辺板部４１Ａ，４１Ｂ及び短辺板部４２Ａ，４２Ｂの内周縁部４１１，４２１がそれぞれマスク外方に凸なる形状の湾曲部４１１ｗ，４２１ｗを有している。このため、成膜時にステージ２０からの入熱に伴う湾曲部４１１ｗ，４２１ｗの長さ方向に沿った熱伸びが発生する際に、図７に模式的に示すように開口部４０ａの周縁形状が、加熱前の湾曲形状から加熱後の直線形状に変形可能となる。これにより、基板Ｗの周縁部の膜端の形状精度を所望とする直線形状に維持することが可能となり、したがって基板Ｗの有効成膜領域を確保でき、歩留りの低下が抑えられる。
【００６３】
本発明者らの実験によれば、マスク内周縁部の熱変形前の初期形状が直線状であるマスクを用いた場合と比較して、マスクによる基板周縁部の遮蔽幅のばらつきが１．９ｍｍから０．３ｍｍと大きく改善されたことが確認された。
【００６４】
しかも、長辺板部４１Ａ，４１Ｂ及び短辺板部４２Ａ，４２Ｂの外周縁部４１２，４２２には複数の切欠き部４１３，４２３が設けられているため、内周縁部４１１，４２１の熱変形に伴う外周縁部４１２，４２２の変形が容易となる。これにより長辺板部４１Ａ，４１Ｂ及び短辺板部４２Ａ，４２Ｂの破損を効果的に防止することができる。
【００６５】
以上のように本実施形態の成膜装置１００においては、熱変形後のマスク４０の開口部４０ａが所定形状となるように、内周縁部４１１，４２１をあらかじめ湾曲させるようにしている。これにより、基板Ｗの周縁部の膜端の形状精度を維持しつつ、熱変形によるマスク４０の破損を防止することができることになる。
【００６６】
以上、本発明の実施形態について説明したが、本発明は上述の実施形態にのみ限定されるものではなく種々変更を加え得ることは勿論である。
【００６７】
例えば以上の実施形態では、熱変形後のマスク４０の各内周縁部４１１，４２１がいずれもほぼ直線的になるように各湾曲部４１１ｗ，４２１ｗの曲率が決定されたが、これに限られず、熱変形後であっても基板周縁部の膜端の形状精度を維持できる範囲で湾曲していても構わない。
【００６８】
また以上の実施形態では、成膜装置としてプラズマＣＶＤ装置を例に挙げて説明したが、これに限られず、スパッタ装置及びこれに用いられるマスクにも本発明は適用可能である。また、本発明に係るマスクは、成膜装置だけでなく、エッチング装置用のマスクにも適用可能である。
【符号の説明】
【００６９】
１０…真空チャンバ
１１…成膜室
２０…ステージ
３０…ガスヘッド
４０…マスク
４０ａ…開口部
４１Ａ，４１Ｂ…長辺板部
４２Ａ，４２Ｂ…短辺板部
４１ｈ１，４２ｈ１…主貫通孔
４１ｈ２，４２ｈ２…補助貫通孔
５０…マスク支持部材
５４…位置決めピン
１００…成膜装置
４１１，４２１…内周縁部
４１１ｗ，４２１ｗ…湾曲部
４１２，４２２…外周縁部
４１３，４２３…切欠き部
Ｗ…基板
【図１】
2017188170.tif 000003
【図２】
2017188170.tif 000004
【図３】
2017188170.tif 000005
【図４】
2017188170.tif 000006
【図５】
2017188170.tif 000007
【図６】
2017188170.tif 000008
【図７】
2017188170.tif 000009
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
第１の軸方向に対向し、互いに離間する方向に向かって凸なる形状の第１の湾曲部をそれぞれ有する一対の第１の内周縁部と、前記一対の第１の内周縁部と前記第１の軸方向にそれぞれ対向する一対の第１の外周縁部とを有する一対の第１の板部と、
前記第１の軸方向と直交する第２の軸方向に対向し、互いに離間する方向に向かって凸なる形状の第２の湾曲部をそれぞれ有する一対の第２の内周縁部と、前記一対の第２の内周縁部と前記第２の軸方向にそれぞれ対向する一対の第２の外周縁部とを有する一対の第２の板部と
を具備する成膜用マスク。
【請求項２】
請求項１に記載の成膜用マスクであって、
前記一対の第１の板部は、前記一対の第１の外周縁部にそれぞれ設けられ前記第２の軸方向に間隔をおいて配置された複数の第１の切欠き部をさらに有し、
前記一対の第２の板部は、前記一対の第２の外周縁部にそれぞれ設けられ前記第１の軸方向に間隔をおいて配置された複数の第２の切欠き部をさらに有する
成膜用マスク。
【請求項３】
請求項１又は２に記載の成膜用マスクであって、
前記一対の第１の板部及び前記一対の第２の板部は、それぞれ単独の板部材で構成される
成膜用マスク。
【請求項４】
請求項３に記載の成膜用マスクであって、
前記一対の第１の板部の両端部は、前記一対の第２の板部の両端部に重ね合わされる
成膜用マスク。
【請求項５】
請求項１〜４のいずれか１つに記載の成膜用マスクであって、
前記一対の第１の板部及び前記一対の第２の板部は、セラミックス材料で構成される
成膜用マスク。
【請求項６】
真空チャンバと、
前記真空チャンバの内部に配置され、基板を加熱可能に支持するステージと、
前記ステージに対向して配置された成膜源と、
前記ステージの周囲に配置され、前記基板の周縁部を前記成膜源から被覆するマスクと
を具備し、
前記マスクは、
第１の軸方向に対向し、互いに離間する方向に向かって凸なる形状の第１の湾曲部をそれぞれ有する一対の第１の内周縁部と、前記一対の第１の内周縁部と前記第１の軸方向にそれぞれ対向する一対の第１の外周縁部とを有する一対の第１の板部と、
前記第１の軸方向と直交する第２の軸方向に対向し、互いに離間する方向に向かって凸なる形状の第２の湾曲部をそれぞれ有する一対の第２の内周縁部と、前記一対の第２の内周縁部と前記第２の軸方向にそれぞれ対向する一対の第２の外周縁部とを有する一対の第２の板部と
を有する
成膜装置。
【請求項７】
請求項６に記載の成膜装置であって、
前記一対の第１の板部は、前記一対の第１の外周縁部にそれぞれ設けられ前記第２の軸方向に間隔をおいて配置された複数の第１の切欠き部をさらに有し、
前記一対の第２の板部は、前記一対の第２の外周縁部にそれぞれ設けられ前記第１の軸方向に間隔をおいて配置された複数の第２の切欠き部をさらに有する
成膜装置。
【請求項８】
請求項６又は７に記載の成膜装置であって、
前記マスクを支持可能なマスク支持部材をさらに具備し、
前記マスク支持部材は、前記ステージの周囲に設置され、前記第１及び第２の軸方向に平行な面内における前記マスクの熱伸びを許容する支持部を有する
成膜装置。
【請求項９】
請求項８に記載の成膜装置であって、
前記一対の第１の板部は、前記第１の軸方向に平行な長軸を有する第１の主貫通孔と、前記第２の軸方向に平行な長軸を有し前記第１の主貫通孔を挟んで前記第２の軸方向に相互に対向する一対の第１の補助貫通孔とをそれぞれ有し、
前記支持部は、前記第１の主貫通孔及び前記一対の第１の補助貫通孔にそれぞれ挿通され、前記一対の第１の板部に対して相対移動可能な複数の第１の位置決めピンを含む
成膜装置。
【請求項１０】
請求項８又は９に記載の成膜装置であって、
前記一対の第２の板部は、前記第２の軸方向に平行な長軸を有する第２の主貫通孔と、前記第１の軸方向に平行な長軸を有し前記第２の主貫通孔を挟んで前記第１の軸方向に相互に対向する一対の第２の補助貫通孔とをそれぞれ有し、
前記支持部は、前記第２の主貫通孔及び前記一対の第２の補助貫通孔にそれぞれ挿通され、前記一対の第２の板部に対して相対移動可能な複数の第２の位置決めピンを含む
成膜装置。
【国際調査報告】
2017188170.tif 000010
2017188170.tif 000011
2017188170.tif 000012
2017188170.tif 000013